【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  機械的エネルギ蓄積手段と、この機械的エネルギ蓄積手段からの機械的エネルギにより駆動されて発電する発電機と、この発電機に連動して作動する時刻表示手段と、前記発電機の回転速度を調節する回転制御手段とを備えた電子制御式機械時計において、
前記時刻表示手段の表示時刻を修正する時刻修正手段を備え、この時刻修正手段は、前記時刻表示手段の表示時刻を０位置として認識する０位置認識手段と、時刻情報が重畳された電波を受信する受信手段と、０位置における表示時刻および前記受信手段で受信された時刻情報に基づいて前記回転制御手段を制御し、表示時刻を修正する時刻修正制御手段とを備え、
前記回転制御手段は、前記発電機の回転周期を検出してその回転周期に対応した回転検出信号を出力する回転検出手段と、時間標準源からの信号に基づいて基準信号を発生する基準信号発生手段と、前記基準信号および前記回転検出信号の一方をアップカウント信号とし、他方をダウンカウント信号として入力するアップダウンカウンタと、このアップダウンカウンタの予め設定されたアップダウンカウンタ設定値を境に前記発電機にブレーキをかけ、または前記発電機にブレーキをかけない制御を行う制動制御手段とを備え、前記時刻修正制御手段は、前記受信手段で受信された時刻情報と前記時刻表示手段の表示時刻との差をアップダウンカウンタ値に置き換えて表示時刻を修正する
ことを特徴とする電子制御式機械時計。
【請求項２】  機械的エネルギ蓄積手段と、この機械的エネルギ蓄積手段からの機械的エネルギにより駆動されて発電する発電機と、この発電機に連動して作動し、二つ以上の時刻表示針を有する時刻表示手段と、前記発電機の回転速度を調節する回転制御手段とを備えた電子制御式機械時計において、
前記時刻表示手段の表示時刻を修正する時刻修正手段を備え、この時刻修正手段は、前記時刻表示針の表示位置を検出する針位置検出手段と、時刻情報が重畳された電波を受信する受信手段と、この受信手段で受信された時刻情報および前記針位置検出手段により検出された前記時刻表示針の位置情報に基づいて前記回転制御手段を制御し、表示時刻を修正する時刻修正制御手段とを備え、
前記回転制御手段は、前記発電機の回転周期を検出してその回転周期に対応した回転検出信号を出力する回転検出手段と、時間標準源からの信号に基づいて基準信号を発生する基準信号発生手段と、前記基準信号および前記回転検出信号の一方をアップカウント信号とし、他方をダウンカウント信号として入力するアップダウンカウンタと、このアップダウンカウンタの予め設定されたアップダウンカウンタ設定値を境に前記発電機にブレーキをかけ、または前記発電機にブレーキをかけない制御を行う制動制御手段とを備え、前記時刻修正制御手段は、前記受信手段で受信された時刻情報と前記時刻表示手段の表示時刻との差をアップダウンカウンタ値に置き換えて表示時刻を修正する
ことを特徴とする電子制御式機械時計。
【請求項３】  請求項１または２において、前記アップダウンカウンタは、前記発電機のブレーキをかけない制御が行われるカウンタの範囲が、前記発電機にブレーキをかける制御が行われるカウンタの範囲より広く設定されていることを特徴とする電子制御式機械時計。
【請求項４】  請求項１〜３のいずれかにおいて、前記機械的エネルギ蓄積手段は、当該電子制御式機械時計を２４時間以上作動させることができる量の機械的エネルギが蓄積されていることを特徴とする電子制御式機械時計。
【手続補正２】
【補正対象書類名】明細書
【補正対象項目名】０００６
【補正方法】変更
【補正の内容】
【０００６】
【課題を解決するための手段】
本発明の電子制御式機械時計は、機械的エネルギ蓄積手段と、この機械的エネルギ蓄積手段からの機械的エネルギにより駆動されて発電する発電機と、この発電機に連動して作動する時刻表示手段と、前記発電機の回転速度を調節する回転制御手段とを備えた電子制御式機械時計において、前記時刻表示手段の表示時刻を修正する時刻修正手段を備え、この時刻修正手段は、前記時刻表示手段の表示時刻を０位置として認識する０位置認識手段と、時刻情報が重畳された電波を受信する受信手段と、０位置における表示時刻および前記受信手段で受信された時刻情報に基づいて前記回転制御手段を制御し、表示時刻を修正する時刻修正制御手段とを備え、前記回転制御手段は、前記発電機の回転周期を検出してその回転周期に対応した回転検出信号を出力する回転検出手段と、時間標準源からの信号に基づいて基準信号を発生する基準信号発生手段と、前記基準信号および前記回転検出信号の一方をアップカウント信号とし、他方をダウンカウント信号として入力するアップダウンカウンタと、このアップダウンカウンタの予め設定されたアップダウンカウンタ設定値を境に前記発電機にブレーキをかけ、または前記発電機にブレーキをかけない制御を行う制動制御手段とを備え、前記時刻修正制御手段は、前記受信手段で受信された時刻情報と前記時刻表示手段の表示時刻との差をアップダウンカウンタ値に置き換えて表示時刻を修正することを特徴とする。
また、本発明の電子制御式機械時計は、機械的エネルギ蓄積手段と、この機械的エネルギ蓄積手段からの機械的エネルギにより駆動されて発電する発電機と、この発電機に連動して作動し、二つ以上の時刻表示針を有する時刻表示手段と、前記発電機の回転速度を調節する回転制御手段とを備えた電子制御式機械時計において、前記時刻表示手段の表示時刻を修正する時刻修正手段を備え、この時刻修正手段は、前記時刻表示針の表示位置を検出する針位置検出手段と、時刻情報が重畳された電波を受信する受信手段と、この受信手段で受信された時刻情報および前記針位置検出手段により検出された前記時刻表示針の位置情報に基づいて前記回転制御手段を制御し、表示時刻を修正する時刻修正制御手段とを備え、前記回転制御手段は、前記発電機の回転周期を検出してその回転周期に対応した回転検出信号を出力する回転検出手段と、時間標準源からの信号に基づいて基準信号を発生する基準信号発生手段と、前記基準信号および前記回転検出信号の一方をアップカウント信号とし、他方をダウンカウント信号として入力するアップダウンカウンタと、このアップダウンカウンタの予め設定されたアップダウンカウンタ設定値を境に前記発電機にブレーキをかけ、または前記発電機にブレーキをかけない制御を行う制動制御手段とを備え、前記時刻修正制御手段は、前記受信手段で受信された時刻情報と前記時刻表示手段の表示時刻との差をアップダウンカウンタ値に置き換えて表示時刻を修正する。
【手続補正３】
【補正対象書類名】明細書
【補正対象項目名】０００７
【補正方法】変更
【補正の内容】
【０００７】
この発明によれば、受信手段は時刻情報が重畳された電波を受信し、時刻修正制御手段は、この時刻情報に基づいて回転制御手段を制御して表示時刻を修正するので、回転制御手段による発電機の回転速度の調整で生じた時刻の表示誤差が確実に補正される。従って、電子制御式機械時計の時刻表示がより正確となる。
また、０位置認識手段で時刻表示手段の０位置を認識するので、時刻表示手段による表示時刻と、受信手段で受信した時刻情報との差は、受信手段で受信した時刻情報から常に同じ０位置の表示時刻分を減算したものと同じになる。従って、時刻修正量の算出が簡単となり、電子制御式機械時計の制御や構成が簡単になる。
あるいは、針位置検出手段を備えている場合には、時刻修正制御手段は、時刻表示針の表示位置と受信手段で受信される時刻情報とを比較して、表示時刻からの時刻修正を行う。従って、時刻修正時間が短くなり、時刻修正の際の消費エネルギも最小限に抑制される。
本願発明では、受信手段で受信した時刻情報と時刻表示手段の表示時刻との差をアップダウンカウンタ値に置き換えるので、アップダウンカウンタではカウンタ値が時刻情報と表示時刻との差の分だけ大きくあるいは小さくなる。すると、回転制御手段はカウント値がアップダウンカウンタ設定値よりも大きく、または小さくなるので、アップダウンカウンタ設定値との差、つまり修正時間分だけ発電機にブレーキをかけ続けるまたはブレーキをかけない制御を行う。例えば、発電機にブレーキをかけ続ける時には、発電機の回転周期が遅くなって時刻表示手段の進みが遅くなるので、表示時刻を遅らせることにより実際の時刻が表示時刻に追いついて時刻が修正される。また発電機にブレーキをかけない場合には、発電機の回転周期が早くなり、表示時刻を進ませることにより表示時刻が実際の時刻に追いついて時刻が修正される。
この発明によれば、時刻修正制御手段が時刻情報と表示時刻との差をアップダウンカウンタ値に置き換えてアップダウンカウンタに入力すると、回転制御手段がそのカウンタ分だけ表示時刻の修正を行うので、回転制御手段の構成を利用して時刻修正が可能となり、構成が簡単になる。また、発電機の回転検出信号と基準信号との比較にアップダウンカウンタを用いているので、各信号のカウントと同時に各カウント値の比較を行うため、構成が簡易になり、かつ各カウント値の差の算出が容易になる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】